(57)【要約】   【課題】扉が施錠された状態において一度だけスタンプできる保守点検が容易な宅配ボックスを提供することを目的とする。  【解決手段】扉３の内面側３ｂに、施錠手段８と、スタンプ手段９と、扉３を施錠した状態でスタンプ手段９を一度だけ作動するスタンプ連動手段１０を設ける。スタンプ手段９の昇降具２１の上端部分２１ａに係止部２２と、スタンプ連動手段１０の上端部３０ｆに荷受室に向かって下方傾斜する斜板３１を設ける。昇降具２１とスタンプ連動手段１０用のスタンプ連動具３０を保持する保持カバー４０を設け、保持カバー４０の上端部４０ａにスタンプ手段９の係止部２２を係止する受部４１を備える。受部４１は、ロック部４１ａと、斜板３１が下降した状態で昇降具２１がトリガー４５によりロック部４１ａから押出されて移動するストローク部４１ｂを備える。トリガー４５は一端部４５ａを支点とし天井２ａに取付ける。【選択図】  図２
2007252896.tif 000002
【特許請求の範囲】
【請求項１】
荷物を受入れる荷受室と扉を有する宅配ボックスであって、
扉の外面側に扉開閉手段とスタンプ始動手段と開錠鍵挿入口と伝票挿入口とが設けられ、扉の内面側には、扉を施錠する施錠手段と、荷受け確認用のスタンプ手段と、荷物を入れて扉を施錠した状態でスタンプ手段を一度だけ作動させるスタンプ連動手段とが設けられ、
前記スタンプ手段は、スタンプ装置とスタンプ装置を上下スライド自在に昇降させる昇降具とから成り、この昇降具に係止部を設けるとともに、前記昇降具を上方に付勢する第一の弾性体と上方に復帰した前記係止部を係止する受部を備え、
前記スタンプ連動手段は、昇降するスタンプ連動具に設けられこのスタンプ連動具を下降した状態で前記施錠手段によって開扉を妨げるとともに前記スタンプ連動具を上方に付勢する第二の弾性体を備えることを特徴とする宅配ボックス。
【請求項２】
請求項１記載の宅配ボックスであって、前記扉開閉手段は扉開閉取手で前記スタンプ始動手段はスタンプ用レバーであることを特徴とする宅配ボックス。
【請求項３】
請求項１記載の宅配ボックスであって、前記扉開閉手段は扉開閉ボタンであって扉の内面側に前記扉開閉ボタンに連動するプッシュレバーを備え、前記スタンプ始動手段はスタンプ用ボタンであって扉の内面側に前記スタンプ用ボタンに連動するスタンプシフトレバーを備えることを特徴とする宅配ボックス。  
【請求項４】
請求項１乃至請求項３のいずれか1項に記載の宅配ボックスであって、前記施錠手段は、ラッチと荷受室に備えるラッチ受部からなる施錠部と、前記扉開閉取手に連動して前記ラッチを正逆回転させるラッチ用バーとから成り、このラッチ用バーに前記ラッチを設けるとともに回転ストッパーを備えることを特徴とする宅配ボックス。
【請求項５】
請求項４に記載の宅配ボックスであって、前記施錠手段は、前記回転ストッパーを開扉方向に回転不可とするものであることを特徴とする宅配ボックス。
【請求項６】
請求項１乃至請求項５のいずれか1項に記載の宅配ボックスであって、前記受部は、前記係止部を係止するロック部と、前記昇降具が前記ロック部から移動されて前記昇降具が下降自在となるストローク部とを備えることを特徴とする宅配ボックス。
【請求項７】
請求項６に記載の宅配ボックスであって、前記ストローク部は前記昇降具が荷受室から突出するように設けられるトリガーにより前記ロック部から押出されて前記昇降具が下降自在となることを特徴とする宅配ボックス。
【請求項８】
請求項１乃至請求項７のいずれか1項に記載の宅配ボックスであって、前記第一の弾性体は前記昇降具を上方且つ荷受室側に付勢することを特徴とする宅配ボックス。
【請求項９】
請求項１乃至請求項８のいずれか1項に記載の宅配ボックスであって、前記スタンプ手段の昇降具を上下にスライド自在に保持する保持カバーを設けるともに、前記保持カバーの上端部に前記受部を備えることを特徴とする宅配ボックス。
【請求項１０】
請求項７乃至請求項９のいずれか1項に記載の宅配ボックスであって、前記トリガーはスタンプ終了後元に復帰する前記昇降具によって撥ね上げ自在に設けられることを特徴とする宅配ボックス。
【請求項１１】
請求項９又は請求項１０に記載の宅配ボックスであって、前記スタンプ連動具は前記保持カバーで前記昇降具より荷受室側に保持されるとともに、前記トリガーを撥ね上げる斜板を前記スタンプ連動具に備えることを特徴とする宅配ボックス。
【発明の詳細な説明】
【技術分野】
【０００１】
本発明は宅配物を荷受けする装置に関し、詳しくは、一般家庭等で使用される無人の宅配ボックスの技術に関するものである。
【背景技術】
【０００２】
従来、宅配小荷物を無人で受取り受領印を一度だけスタンプできる一般家庭用の宅配ボックスとして、例えば、特許文献１の内容が知られている。
【０００３】
特許文献１には図１９に示すように、宅配ボックス５０は、扉６１を有する荷受室６０と、扉６１の開を不可とするドアロック部７０と、荷受室６０内への荷物の預入れを感知しドアロック部７０の作動を可とする荷受け感知手段６２と、扉６１が開状態でドアのロックを不可とするドアロック不可手段６５と、荷受室６０上部に設けたスタンプ部５１ａとを具備し、荷受け感知手段６２は、上下に揺動し且つ上方に弾持される感知体６３と、感知体６３の下動により移動する作動杆６４とで構成される。
【０００４】
スタンプ部５１ａは配達人が伝票差入口５３に配達伝票を挿入し、スタンプボタン５１を押すことでスタンプする機能を有している。このスタンプ部５１ａは荷受室６０の上部に形成し荷受室６０とは空間的に分離している。スタンプ部５１ａの前面にはスタンプボタン５１及び受領伝票の伝票差入口５３を設ける。
【特許文献１】特開平１０−４５１９６号公報
【発明の開示】
【発明が解決しようとする課題】
【０００５】
ところが、スタンプ部５１ａが荷受室６０内部の上部に形成されているので、スタンプ部５１ａを保守点検する場合には目視が難しいので作業が困難であるという問題があった。また、スタンプ部５１ａを取外す場合も手が届き難いので手間が掛かるという問題があった。さらに、スタンプ部５１ａによって扉６１の高さが低くなり間口が狭くなり宅配小荷物の出し入れが困難であった。
【０００６】
そこで、本発明はかかる従来技術の問題に鑑みなされたものであり、簡単な構造で、保守点検が容易にできて、間口が広くて荷受容積が向上し、且つ扉が施錠された状態において一度だけスタンプできる宅配ボックスを提供することを目的とする。
【課題を解決するための手段】
【０００７】
請求項１の発明は、荷物を受入れる荷受室と扉を有する宅配ボックスであって、扉の外面側に扉開閉手段とスタンプ始動手段と開錠鍵挿入口と伝票挿入口とが設けられ、扉の内面側には、扉を施錠する施錠手段と、荷受け確認用のスタンプ手段と、荷物を入れて扉を施錠した状態でスタンプ手段を一度だけ作動させるスタンプ連動手段とが設けられ、前記スタンプ手段は、スタンプ装置とスタンプ装置を上下スライド自在に昇降させる昇降具とから成り、この昇降具に係止部を設けるとともに、前記昇降具を上方に付勢する第一の弾性体と上方に復帰した前記係止部を係止する受部を備え、前記スタンプ連動手段は、昇降するスタンプ連動具に設けられこのスタンプ連動具を下降した状態で前記施錠手段によって開扉を妨げるとともに前記スタンプ連動具を上方に付勢する第二の弾性体を備えることを特徴としている。
【０００８】
請求項２の発明は、請求項１記載の宅配ボックスであって、前記扉開閉手段は扉開閉取手で前記スタンプ始動手段はスタンプ用レバーであることを特徴としている。
【０００９】
請求項３の発明は、請求項１記載の宅配ボックスであって、前記扉開閉手段は扉開閉ボタンであって扉の内面側に前記扉開閉ボタンに連動するプッシュレバーを備え、前記スタンプ始動手段はスタンプ用ボタンであって扉の内面側に前記スタンプ用ボタンに連動するスタンプシフトレバーを備えることを特徴としている。  
請求項４の発明は、請求項１乃至請求項３のいずれか1項に記載の宅配ボックスであって、前記施錠手段は、ラッチと荷受室に備えるラッチ受部からなる施錠部と、前記扉開閉取手に連動して前記ラッチを正逆回転させるラッチ用バーとから成り、このラッチ用バーに前記ラッチを設けるとともに回転ストッパーを備えることを特徴としている。
【００１０】
請求項５の発明は、請求項４に記載の宅配ボックスであって、前記施錠手段は、前記回転ストッパーを開扉方向に回転不可とするものであることを特徴としている。
【００１１】
請求項６の発明は、請求項１乃至請求項５のいずれか1項に記載の宅配ボックスであって、前記受部は、前記係止部を係止するロック部と、前記昇降具が前記ロック部から移動されて前記昇降具が下降自在となるストローク部とを備えることを特徴としている。
【００１２】
請求項７の発明は、請求項６に記載の宅配ボックスであって、前記ストローク部は前記昇降具が荷受室から突出するように設けられる前記トリガーにより前記ロック部から押出されて前記昇降具が下降自在となることを特徴としている。
【００１３】
請求項８の発明は、請求項１乃至請求項７のいずれか1項に記載の宅配ボックスであって、前記第一の弾性体は前記昇降具を上方且つ荷受室側に付勢することを特徴としている。
【００１４】
請求項９の発明は、請求項１乃至請求項８のいずれか1項に記載の宅配ボックスであって、前記スタンプ手段の昇降具を上下にスライド自在に保持する保持カバーを設けるともに、前記保持カバーの上端部に前記受部を備えることを特徴としている。
【００１５】
請求項１０の発明は、請求項７乃至請求項９のいずれか1項に記載の宅配ボックスであって、前記トリガーはスタンプ終了後元に復帰する前記昇降具によって撥ね上げ自在に設けられることを特徴としている。
【００１６】
請求項１１の発明は、請求項９又は請求項１０に記載の宅配ボックスであって、前記スタンプ連動具は前記保持カバーで前記昇降具より荷受室側に保持されるとともに、前記トリガーを撥ね上げる斜板を前記スタンプ連動具に備えることを特徴としている。
【発明の効果】
【００１７】
請求項１記載の発明によれば、荷物を受入れる荷受室と扉を有する宅配ボックスであって、扉の外面側に扉開閉手段とスタンプ始動手段と開錠鍵挿入口と伝票挿入口とが設けられ、扉の内面側には、扉を施錠する施錠手段と、荷受け確認用のスタンプ手段と、荷物を入れて扉を施錠した状態でスタンプ手段を一度だけ作動させるスタンプ連動手段とが設けられるので、主部品が作業者にとって目視できて手が届くところ場所にあるため、作業者が容易に各部を点検できて取外し取付も簡単にできるので保守点検作業が容易である。さらに、主部品が扉の内外面側に設けられるので扉の開口領域である間口を最大限に広く利用できるので、箱形状が主流である宅配物に対して荷受容積が格段に向上する。
【００１８】
さらに、前記スタンプ手段は、スタンプ装置とスタンプ装置を上下スライド自在に昇降させる昇降具とから成り、この昇降具に係止部を設けるとともに、前記昇降具を上方に付勢する第一の弾性体と上方に復帰した前記係止部を係止する受部を備え、前記スタンプ連動手段は、昇降するスタンプ連動具に設けられこのスタンプ連動具を下降した状態で前記施錠手段によって開扉を妨げるとともに前記スタンプ連動具を上方に付勢する第二の弾性体を備える。
【００１９】
このため、スタンプ連動具を下降した状態で前記施錠手段によって開扉を妨げられ、スタンプ後には前記昇降具を上方に付勢する第一の弾性体によって上方に復帰した前記係止部が受部によって係止されるので、扉が施錠された状態において前記スタンプ手段の昇降具を下降して一度だけスタンプすることができる。
【００２０】
請求項２の発明によれば、前記扉開閉手段は扉開閉取手なので、扉は扉開閉取手を引くことによって容易に開扉することができる。また、前記スタンプ始動手段はスタンプ用レバーであるので、スタンプ用レバーを押すだけで容易にスタンプが実行できる。
【００２１】
請求項３の発明によれば、前記扉開閉手段は扉開閉ボタンであって扉の内面側に前記扉開閉ボタンに連動するプッシュレバーを備え、前記スタンプ始動手段はスタンプ用ボタンであって扉の内面側に前記スタンプ用ボタンに連動するスタンプシフトレバーを備えるので、扉開閉ボタンとスタンプ用ボタンを押すだけの簡単な動作でそれぞれ扉開閉とスタンプの動作が行える。
【００２２】
請求項４の発明によれば、前記施錠手段は、ラッチと荷受室に備えるラッチ受部からなる施錠部と、前記扉開閉取手に連動して前記ラッチを正逆回転させるラッチ用バーとから成り、このラッチ用バーに前記ラッチを設けるとともに回転ストッパーを備える。
【００２３】
このため、前記スタンプ連動具を上昇した状態では前記回転ストッパーが回転制止部を通過自在なので扉は開閉自在であるが、前記スタンプ連動具を下降した状態では回転制止部が前記回転ストッパー位置から離れるので前記回転ストッパーを開扉方向に回転不可となり、ラッチがラッチ受部に施錠された状態で保持されるので扉が施錠された状態になる。
【００２４】
請求項５の発明によれば、前記施錠手段は、前記回転ストッパーを開扉方向に回転不可とする回転制止部であるので、スタンプ連動具を下降した状態で前記回転制止部によって開扉を妨げることができる。このため、扉が施錠された状態において前記スタンプ手段の昇降具を下降して一度だけスタンプすることができる。
【００２５】
請求項６の発明によれば、前記受部は、前記係止部を係止するロック部と、前記昇降具が前記ロック部から移動されて前記昇降具が下降自在となるストローク部とを備えるので、扉の閉める動作に合わせて前記スタンプ手段の昇降具が移動されて、前記スタンプ手段の係止部がロック部を離れてストローク部に移動することができるため、前記昇降具を下降させてスタンプすることができる。ここで、第一の弾性体が上方に付勢されるのでスタンプ後に前記昇降具は持上げられて、係止部はロック部に戻って係止される。このため、請求項５の効果と同様の効果が得られる。
【００２６】
請求項７の発明によれば、前記昇降具が荷受室から突出するように設けられる前記トリガーにより前記ロック部から前記ストローク部に押出されるので、スタンプするための前記昇降具の下降自在の状態が閉扉の動作に連動して自動的に確実に得ることができる。
【００２７】
請求項８の発明によれば、スタンプ後に第一の弾性体によって持上げられる前記昇降具は荷受室側に斜め上方に持上げられるので、前記係止部は荷受室側の斜め上方に形成されるロック部に確実に戻って係止される。このため、請求項５の効果と同様の効果が得られる。
【００２８】
請求項９の発明によれば、前記スタンプ手段の昇降具を上下にスライド自在に保持する保持カバーを設けるので、この保持カバーにガイドされて前記昇降具の昇降を確実且つスムーズに行なえる。また、前記保持カバーの上端部に前記受部を備えるので、前記受部は簡単に形成できるため製作コストが減少する。また、前記受部は単独に形成して扉に取付る必要がないので組立てコストが減少する。前記保持カバーの上端部の前記受部によって前記昇降具の係止と下降自在の状態とが確実に切替えることができる。
【００２９】
請求項１０の発明によれば、前記トリガーはスタンプ終了後元に復帰する昇降具によって撥ね上げ自在に設けられるので、前記昇降具の係止部はトリガーを容易に持上げてトリガーから自由となるので確実にロック部に戻って係止される。このため、請求項５の効果と同様の効果が得られる。
【００３０】
請求項１１の発明によれば、前記スタンプ連動具は前記保持カバーで前記昇降具より荷受室側に保持されるとともに、前記トリガーを撥ね上げる斜板を前記スタンプ連動具に備えるので、前記スタンプ連動具が上昇している間は、この斜板によって前記トリガーは撥ね上げられて前記昇降具を押出すことができないので、前記係止部はロック部に係止された状態を保つことができる。このように、宅配小荷物を宅配ボックスにいれてスタンプをするための前提条件としての前記スタンプ連動具を下降させないかぎりスタンプは実施できないため、請求項５の効果と同様の効果が得られる。
【発明を実施するための最良の形態】
【００３１】
＜本発明の第一の実施形態＞
以下に、本発明の第一の実施形態を図１〜図１０に基づいて説明する。
【００３２】
＜宅配ボックスの構成＞  
図1、図２、図３、図４、図５に示すように、本発明の宅配ボックス１は荷物を受入れる荷受室２と扉３を有し、扉３の外面側３ａに扉開閉手段としての扉開閉取手４と開錠鍵挿入口５と、スタンプ始動手段としてのスタンプ用レバー６と、伝票挿入口７とが設けられる。扉開閉取手４を矢印で示す方向に開扉動作をしない状態では、扉開閉取手４は扉３に形成される凹部４ａ内に収納される。
【００３３】
扉３の内面側３ｂには、扉３を施錠する施錠手段８と、荷受け確認用のスタンプ手段９と、荷物を入れて扉３を施錠した状態でスタンプ手段９を一度だけ作動させるスタンプ連動手段１０とが設けられる。
【００３４】
施錠手段８は、ラッチ１１と荷受室２の天井２ａに備えるラッチ受部１２からなる施錠部１３と、扉開閉取手４に連動してラッチ１１を正逆回転させるラッチ用バー１４とから成り、このラッチ用バー１４の上端部１４ａにラッチ１１を設けるとともにラッチ用バー１４の中間部にフック形状の回転ストッパー１５を上下に二組備える。
【００３５】
ラッチ用バー１４と回転ストッパー１５は、扉３が閉じた状態でそれぞれ扉３に直角の方向Ｒ１となるように設けられ、扉３が開いた状態ではそれぞれラッチ用バー１４の周りにθ＝略４５度回転することができる。
【００３６】
スタンプ手段９は、スタンプ装置２０とスタンプ装置２０を昇降させる帯状の昇降具２１とから成り、係止部２２は昇降具２１の上端部分２１ａの両側に設けられた凸部２１ｂによって形成されるとともに、下端部分２１ｃに設けられるハンガー部２３によってスタンプ装置２０が装着される。
【００３７】
さらに、昇降具２１を上方且つ荷受室側に付勢する第一の弾性体としての二組のバネ２４を昇降具２１の両側に設けられる凸部２１ｄに備える。スタンプ装置２０の下部にはスタンプ用のスタンプ印２０ａが挿入され、伝票挿入口７から差し込まれる伝票を受入れる伝票受部２５が設けられる。
【００３８】
スタンプ連動手段１０はスタンプ連動具３０に設けられ、このスタンプ連動具３０の形状は、第一の垂直部材３０ａの下端部３０ｂと第二の垂直部材３０ｃの上端部３０ｄを水平部材３０ｅで固着して成るクランク形状である。
【００３９】
ここで、水平部材３０ｅと第二の垂直部材３０ｃは扉３の凹部４ａに沿って扉３と平行に間隙Ｓ１で設けられる。水平部材３０ｅと第一の垂直部材３０ａも扉３と平行に間隙Ｓ２で設けられ、Ｓ１＞Ｓ２である。
【００４０】
第一の垂直部材３０ａの上端部３０ｆに荷受室に向かって下方傾斜する斜板３１が設けられる。そして、第二の垂直部材３０ｃの上端部３０ｄに開錠鍵挿入口５に挿入した鍵に連動操作される係止具３３に係止する係止部３４が設けられる。この係止部３４は振り子状のフックで、垂直の状態とフックが外れる状態との間を可動領域として第二の垂直部材３０ｃの扉３側に設けられる。なお、係止部３４は自然状態で垂直の状態を保てるが、好ましくは、図示しないバネ等の弾性体で付勢されて垂直状態が保たれる。なお、第二の垂直部材３０ｃの上端部３０ｄにはスタンプ連動手段１０を押下げるための押込み部Ｇも形成される。
【００４１】
第二の垂直部材３０ｃの側面３０ｇに回転ストッパー１５を通過自在とする凹部３５が設けられる。この凹部３５はスタンプ連動手段１０を下降した状態では回転ストッパー１５の位置から離れるので、側面３０ｇは回転ストッパー１５を遮ぎってラッチ用バー１４を回転不可とする回転制止部である。このラッチ用バー１４が回転できない状態ではラッチ１１が解錠せず扉３は開かない。
【００４２】
なお、凹部３５は一箇所に設けられ上方の回転ストッパー１５に対応する。下方の回転ストッパー１５は第二の垂直部材３０ｃの下部３０ｈの下方の空間を利用して回転することができるが、回転不可の状態では上方の回転ストッパー１５と同様に側面３０ｇに遮られることになる。第二の垂直部材３０ｃの下部３０ｈにはスタンプ連動具３０を上方に付勢する第二の弾性体としてのバネ３６を備える。
【００４３】
さらに、スタンプ手段９の昇降具２１とスタンプ連動手段１０のスタンプ連動具３０とをそれぞれ上下にスライド自在に保持する保持カバー４０を設けるともに、保持カバー４０の上端部４０ａにスタンプ手段９の係止部２２を係止する受部４１を備える。
【００４４】
図６、図７、図８（ａ）、（ｂ）に示すように、受部４１は、係止部２２を係止するロック部４１ａと、斜板３１が下降した状態で昇降具２１が荷受室２の天井面に備えるトリガー４５によりロック部４１ａから押出されて昇降具２１を下降自在とするストローク部４１ｂとを備える。
【００４５】
トリガー４５は帯状板の両端部４５ａ、４５ｂを折り返して形成され、その一端部４５ａを天井２ａに取付けられた一対の支持片４５ｃの軸４５ｄに嵌入して支持され、水平位置から角度β＝略５度と水平位置から上方に角度α＝略３０度の範囲で遥動自在である。
【００４６】
本実施例で使用される各部品は特別な材料でなくてもよく、一般の薄板鋼板、バネ鋼や樹脂材等が用いられる。
【００４７】
＜宅配ボックスの作用＞
図９、図１０を用いて、スタンプ手段９の昇降具２１を一度だけ下降してスタンプ動作を実施させる作用を説明する。
【００４８】
図９（ａ）は、扉３が施錠されていない通常時の状態であり、このとき、回転ストッパー１５は凹部３５を通過自在なので、不特定な宅配業者が扉開閉取手４を引くことで扉３を自由に何回でも開くことができる。このとき、ラッチ１１も回転ストッパー１５と連動して回転して開閉錠される。この状態で、スタンプ手段９の昇降具２１とスタンプ連動手段１０のスタンプ連動具３０のそれぞれの上端が同じ高さ位置になるように保持カバー４０に保持される。
【００４９】
この状態は、保持カバー４０のロック部４１ａに昇降具２１の係止部２２が係止された状態であり、扉３を閉めることによりトリガー４５が接近してきてもトリガー４５の先端４５ｂは矢印のように斜板３１によって軸４５ｄを中心に撥ね上げられてしまう。このため、トリガー４５は昇降具２１の係止部２２に対して何ら作用しない。
【００５０】
図９（ｂ）は、宅配業者が荷受室に品物を入れた後にスタンプ連動具３０を押下げた状態である。ここで、上記のように、第二の垂直部材３０ｃの側面３０ｇに回転ストッパー１５を通過自在とする凹部３５が設けられ、この凹部３５はスタンプ連動手段１０が下降した状態では回転ストッパー１５の位置から離れるので、回転ストッパー１５が側面３０ｇに遮られてラッチ用バー１４を回転不可とする回転制止部である。
【００５１】
このため、一旦扉を閉めると、ラッチ用バー１４は回転できないのでラッチ１１が解錠せず扉３を再度開くことはできない。そして、斜板３１が下降しているので、トリガー４５は矢印のように昇降具２１の係止部２２が設けられている上端部分２１ａに向かって移動することができる。
【００５２】
図９（ｃ）に示すように、トリガー４５が昇降具２１の上端部分２１ａを押付けて矢印のように移動させるので、昇降具２１の係止部２２はロック部４１ａを離脱してストローク部４１ｂの領域まで移動する。
【００５３】
図１０（ａ）に示すように、扉３の外側からのスタンプ用レバー６を下降する動作に連動して昇降具２１がストローク部４１ｂの領域を下降してスタンプされる。
【００５４】
図１０（ｂ）に示すように、スタンプ完了後にバネ２４に蓄圧された弾力によって昇降具２１は自動的に上昇して、昇降具２１の上端部分２１ａがトリガー４５を持上げる。このとき、トリガー４５は軸４５ｄの周りに回転自在に保持されているのでトリガー４５を容易に押上げる。
【００５５】
図１０（ｃ）に示すように、バネ２４は昇降具２１を上方且つ荷受室側に付勢するように斜めに取付けられているため、矢印で示すように、上端部分２１ａはロック部４１ａの領域に復帰することができる。なお、上端部分２１ａはバネの弾力によりロック部４１ａよりも若干高い位置まで一瞬上昇するが、その後速やかにロック部４１ａに当接して係止される。
【００５６】
この状態から、再度スタンプ動作を実行しようとしても係止部２２はロック部４１ａによってロックされているので昇降具２１は下降できない。このように、スタンプ手段９の昇降具２１を下降して一度だけスタンプ動作を実施させることができる。
【００５７】
さらに、荷物が荷受室に預けられてスタンプが完了した図１０（ｃ）の状態から、開錠鍵挿入口５に挿入した鍵で係止具３３を連動操作して回転させると、係止具３３は振り子状のフックである係止部３４から外れるのでスタンプ連動具３０は上昇して、扉３を開けることができる。このようにして、荷物を荷受室から取出した段階で、図９（ａ）の状態に再度戻ることができる。
【００５８】
以上のように、扉の内面側に、施錠手段と、荷受け確認用のスタンプ手段と、荷物を入れて扉を施錠した状態でスタンプ手段を一度だけ作動させるスタンプ連動手段とが設けられるので、各部品が作業者にとって目と手が届くところ場所にあるため、作業者は容易に各部を目視点検できて取外し取付も簡単にできるので保守点検が容易である。主部品が扉の内外面側に設けられるので扉の開口領域を最大限にできて間口が広くなるので、箱形状が主流である宅配物に対して荷受容積が格段に向上する。また、すべて機械部品で構成されており電気的要素を用いていないので、調整不良や停電等による誤動作を防止できる。
【００５９】
＜本発明の第二の実施形態＞
本発明の第二の実施形態の宅配ボックスを図１１を用いて説明するが、図６に示す保持カバー４０と同じ構成部分については図面に同符号を付して重複した説明を省略し、その他の第一の実施形態の図面に示す構成とは同じであるのでその説明および図面を省略する。
【００６０】
図１１に示すように、バネ２４は昇降具２１を垂直上方に付勢する状態に取付けられ、保持カバー４０の上方には斜材７５が設けられ、斜材７５は扉３に取付けられる。この構成であれば、スタンプ完了後にバネ２４に蓄圧された弾力によって昇降具２１はストローク部４１ｂの領域で上昇し、上端部分２１ａが斜材７５に衝突した際にその反力によって矢印で示すように扉３から離れる方向に移動して、上端部分２１ａがロック部４１ａの領域に自動的に復帰することができる。なお、斜材７５は図示しないトリガーの動作に干渉しない形状及び取付位置に設けられる。
【００６１】
＜本発明の第三の実施形態＞
本発明の第三の実施形態の宅配ボックス８０を図１２〜図１８を用いて説明するが、図1〜図５に示す宅配ボックス１の構成と同様の構成部分については、図面に同符号を付して重複した説明を省略し、図６〜図１０に示す宅配ボックス１の構成とは同じであるのでその説明および図面を省略する。
【００６２】
図1２、図１３、図１４、１５、図１６に示すように、本発明の宅配ボックス８０は扉３の外面側３ａに扉開閉手段としての扉開閉ボタン８１と、開錠鍵挿入口５と、スタンプ始動手段としてのスタンプ用ボタン８２と、伝票挿入口７と、スタンプ位置表示窓８８とが設けられる。扉開閉ボタン８１は扉３の内面側３ｂに扉開閉ボタン８１に連動するプッシュレバー８５を備える。また、スタンプ用ボタン８２は扉３の内面側３ｂにスタンプ用ボタン８２に連動するスタンプシフトレバー８６を備える。
【００６３】
扉開閉ボタン８１とスタンプ用ボタン８２は同じ構造で、ボタンを押した後に自動復帰させるためのコイルスプリングＰをそれぞれ内蔵している。いま、図１２において、スタンプ用ボタン８２は内蔵されたコイルスプリングＰの状態を示すために透視図で描かれている。
【００６４】
扉開閉ボタン８１を押込むとコイルスプリングＰが宿小して、「扉開」動作が開始し、押込みを止めるとコイルスプリングＰが復帰して「扉閉」動作が開始する。また、スタンプ用ボタン８２を押込むとスタンプ装置８７を下降してスタンプ動作が実施される。
【００６５】
扉３の内面側３ｂには、扉３を施錠する施錠手段８と、荷受け確認用のスタンプ手段９１と、荷物を入れて扉３を施錠した状態でスタンプ手段９１を一度だけ作動させるスタンプ連動手段８３とが設けられる。
【００６６】
回転レバー８４は、扉３が閉じた状態で扉３と略平行の方向Ｒ１となるように設けられ、扉３を開く状態ではプッシュレバー８５を介してラッチ用バー１４の周りにθ＝略４５度回転することができる。より詳しくは、プッシュレバー８５はその中央部８５ａを中心にしてスイングする構造なので、扉開閉ボタン８１によってプッシュレバー８５の一端８５ｂが押されると、他端８５ｃが回転レバー８４を押し込むことによりラッチ用バー１４が回転する。
【００６７】
スタンプ手段９１の昇降具２１の下部にはスタンプ印２０ａを取付けるスタンプ装置８７が設けられ、スタンプ装置８７は扉3側に一対のブラケット８７ａを備える。
【００６８】
スタンプ連動手段８３はスタンプ連動具８３ａに設けられ、このスタンプ連動具８３ａの形状は、第一の垂直部材３０ａの下端部３０ｂがアングル形状の第二の垂直部材８３ｃの略中央部８３ｋをクランク状８３ｅに固着して成る形状である。
【００６９】
係止部３４は第二の垂直部材８３ｃのアングル形状の背面に取付けられ扉３と平行に振ることができる。
【００７０】
さらに、第二の垂直部材８３ｃの下部８３ｈに扉３に近接し上下移動可能なスタンプ位置表示板８８ａをクランク形状（下部８３ｈから奥行きＳ３で折れ曲る）に連結する。スタンプ位置表示板８８ａは上下に例えば赤色と青色で区分表示されており、第二の垂直部材８３ｃと連動して上下移動するスタンプ位置表示板８８ａの色区分をスタンプ位置表示窓８８から識別することでスタンプが可能か否かの状況を扉３の外側から判断することができる。
【００７１】
図１７に示すように、スタンプ装置８７は扉3側に一対のブラケット８７ａを備えている。スタンプシフトレバー８６はその上端部８６ａを中心にしてスイングする構造で、上端部８６ａには扉３側に向けて押込レバー８６ｂを備えている。スタンプ用ボタン８２を押込んでスタンプシフトレバー８６の下端部８６ｃが押されると、上端部８６ａが回転して押込レバー８６ｂが一方のブラケット８７ａを矢印で示すように押し下げることによりスタンプ装置８７が下降してスタンプ動作が実施される。
【００７２】
ここで、宅配ボックス８０のスタンプ手段９１の昇降具２１を一度だけ下降してスタンプ動作を実施させる作用を図１３と図１６を用いて説明する。
【００７３】
図１３に示す状態は、宅配業者が荷受室に品物を入れた後に押込み部Ｇによってスタンプ連動具８３ａを押下げた状態である。この状態では、プッシュレバー８５は第二の垂直部材８３ｃの下部８３ｈに遮られて回転できないので他端８５ｃによって回転レバー８４を押し込むことが出来ない。このように、第二の垂直部材８３ｃの下部８３ｈはラッチ用バー１４を回転不可とする回転制止部である。このため、一旦扉を閉めると、ラッチ用バー１４は回転できないのでラッチ１１が解錠せず扉３を再度開くことはできず、スタンプ用ボタン８２を押し込むことによりスタンプシフトレバー８６を介してスタンプ手段９１の昇降具２１を下降して一度だけスタンプ動作を実施することができる。
【００７４】
そして、荷物が荷受室に預けられてスタンプが完了した状態から、開錠鍵挿入口５に挿入した鍵で係止具３３を連動操作して回転させると、係止具３３は振り子状のフックである係止部３４から外れるのでスタンプ連動具８３ａはバネ３６によって上昇する。このため、プッシュレバー８５の他端８５ｃが第二の垂直部材８３ｃの下部８３ｈに遮られない状態になるので扉開閉ボタン８１によりプッシュレバー８５が回転できるので回転レバー８４を押し込み、ラッチ用バー１４を回転して扉３を開けることができる。そして、荷物を荷受室から取出すことができる。
【００７５】
図１８（ａ）、（ｂ）に示すように、扉３の裏面には略全域にいたずら防止用の保護カバー９０が上部９０ａをアングル材９０ｂで扉３に係止し、下部９０ｃは扉３にアングル材を介してボルト９０ｄで固着される。保護カバー９０の上部９０ａは斜板３１等を上下移動可能とする開口９０ｅと上部９０ａの近傍にスタンプ連動手段８３の上下操作用の開口９０ｆが設けられる。そして、伝票挿入口７から稀に雨水が浸入することを想定して保護カバー９０と扉３の間に雨水の排出路が形成されるので、矢印で示すように伝票挿入口７から浸入した雨水が自然に排出される。
【００７６】
以上、本発明の実施例を図面に基づいて説明したが、具体的な構成はこの実施例に限られるものではなく本発明の要旨を逸脱しない範囲の設計変更等があっても本発明に含まれる。
【００７７】
例えば、荷受け確認手段はスタンプ印２０ａの代わりに印鑑を使用してもよい。また、穿孔手段を用いる荷受け確認手段でも構わない。
【００７８】
トリガー４５の突出しによって昇降具２１を押出す代わりに、扉３側に引き込み式のトリガーを設けて昇降具を移動させることもできる。さらに、トリガーによる直接的な押出し又は引き込みの構成に代えて、トリガーの動作を間接的に伝えて昇降具を移動させることもできる。
【００７９】
トリガー４５の先端４５ｂにローラーを装着すると、斜板３１によって軸４５ｄを中心にトリガー４５が撥ね上げられる動作を更に円滑にすることができる。
【００８０】
トリガー４５の取付位置は荷受室２の天井面に限定されず、扉３側に取付ける構成でも構わない。
【００８１】
昇降具２１とスタンプ連動具３０、８３ａをそれぞれ上下にスライド自在に保持する保持カバー４０を設ける代わりに、昇降具２１とスタンプ連動具３０、８３ａにそれぞれ形成された長孔を挿通するガイド片で介して両者をスライド自在に保持することもできる。
【００８２】
スタンプ完了後に上昇した昇降具２１の上端部分２１ａを係止する受部４１のロック部４１ａを保持カバー４０に設ける代わりに、扉３の上縁部から下垂されるアングル形状の受部でもよい。また、扉３の上縁部を折り曲げて扉３と一体的に形成するアングル形状の受部でもよい。このとき、受部側と昇降具２１側のアングル形状をそれぞれ鋭角に形成しておくと互いの係止状態がさらに確実にできる。
【００８３】
スタンプシフトレバー８６を使用することなく、スタンプ用ボタン８２を押して得られる水平力を垂直方向の力に直接変換することによってスタンプ装置８７を下降させることもできる。
【００８４】
二組のバネ２４を昇降具２１の両側に設けられる凸部２１ｄに掛ける代わりに、スタンプ装置２０、８７に直接掛けてもよい。あるいは、スタンプ装置２０、８７の下部に圧縮バネを設ける構成でも構わない。
【図面の簡単な説明】
【００８５】
【図１】本発明の第一の実施形態における、宅配ボックス１の斜視図である。
【図２】本発明の第一の実施形態における、扉３の内面側３ｂに取付けられる施錠手段８とスタンプ手段９とスタンプ連動手段１０の相互配置を示す斜視図である。
【図３】本発明の第一の実施形態における、施錠手段８の詳細斜視図である。
【図４】本発明の第一の実施形態における、スタンプ手段９の詳細斜視図である。
【図５】本発明の第一の実施形態における、スタンプ連動手段１０の詳細斜視図である。
【図６】本発明の第一の実施形態における、図２のＢ−Ｂ矢視図である。
【図７】本発明の第一の実施形態における、図６のＣ−Ｃ矢視図である。
【図８】本発明の第一の実施形態における、（ａ）は図１のＡ−Ａ矢視図、（ｂ）は図８（ａ）のＤ−Ｄ矢視図である。
【図９】本発明の第一の実施形態における、（ａ）は荷物を荷受室に預けない段階でのスタンプ手段９の昇降具２１とスタンプ連動手段１０のスタンプ連動具３０が保持カバー４０に保持された状態、（ｂ）は、スタンプ連動具３０を押下げた状態、（ｃ）はトリガー４５によって昇降具２１の上端部分２１ａがロック部４１ａからストローク部４１ｂの領域に移動する状態を示す側面図である。
【図１０】本発明の第一の実施形態における、（ａ）は昇降具２１が下降してスタンプされる状態、（ｂ）は、スタンプ完了後にバネ２４によって昇降具２１が持上げられる状態、（ｃ）は昇降具２１の上端部分２１ａがロック部４１ａの領域に復帰した状態を示す側面図である。
【図１１】本発明の第二の実施形態における、宅配ボックスにおける保持カバー４０の上方に斜材７５が扉３に固着して取付けられる状態を示す側面図である。
【図１２】本発明の第三の実施形態における、宅配ボックス８０の斜視図である。
【図１３】本発明の第三の実施形態における、扉３の内面側３ｂに取付けられる施錠手段８とスタンプ手段９１とスタンプ連動手段８３の相互配置を示す斜視図である。
【図１４】本発明の第三の実施形態における、施錠手段８の詳細斜視図である。
【図１５】本発明の第三の実施形態における、スタンプ手段９１の詳細斜視図である。
【図１６】本発明の第三の実施形態における、スタンプ連動手段８３の詳細斜視図である。
【図１７】本発明の第三の実施形態における、スタンプ装置８７を押し下げてスタンプを実施する状態を示す斜視図である。
【図１８】本発明の第三の実施形態における、（ａ）は扉３の内面側３ｂに取付けられる保護カバー９０の状態を示す斜視図、（ｂ）は保護カバー９０の側面断面図である。
【図１９】従来例における、宅配ボックス５０の斜視図である。
【符号の説明】
【００８６】
２ａ  天井
３  扉
３ｂ  内面側
８  施錠手段
９  スタンプ手段
１０  スタンプ連動手段
２１  昇降具
２１ａ  上端部分
２２  係止部
３０ｆ  上端部
３０  スタンプ連動具
３１  斜板
４０  保持カバー
４０ａ  上端部
４１  受部
４１ａ  ロック部
４１ｂ  ストローク部
４５  トリガー
４５ａ  一端部
【図１】
2007252896.tif 000003
【図２】
2007252896.tif 000004
【図３】
2007252896.tif 000005
【図４】
2007252896.tif 000006
【図５】
2007252896.tif 000007
【図６】
2007252896.tif 000008
【図７】
2007252896.tif 000009
【図８】
2007252896.tif 000010
【図９】
2007252896.tif 000011
【図１０】
2007252896.tif 000012
【図１１】
2007252896.tif 000013
【図１２】
2007252896.tif 000014
【図１３】
2007252896.tif 000015
【図１４】
2007252896.tif 000016
【図１５】
2007252896.tif 000017
【図１６】
2007252896.tif 000018
【図１７】
2007252896.tif 000019
【図１８】
2007252896.tif 000020
【図１９】
2007252896.tif 000021